(57)【要約】【課題】低コストでありながら強いクリック感の得られる安定した再封が可能な蓋付容器とそれに用いる容器を提供する。【解決手段】容器１５は、開口部１７の周縁から外側に突出するように形成された環状の内フランジ部３０と、その周囲から外側に突出するように形成された環状の外フランジ部４０と、内フランジ部３０と外フランジ部４０とを、その間の周方向に沿って破断可能に連結するフランジ連結部と、を有し、フランジ連結部同士の間にはスリットＳ０，Ｓ４等が周方向に沿って形成されている。フランジ連結部での破断により外フランジ部４０を内フランジ部３０から分離する際のつまみとなる開封タブ４５が、外フランジ部４０に設けられており、開封タブ４５が位置する部分と開口部１７との間に、スリットＳ０が位置し、そのスリットＳ０の形成領域の一部に段差Δが設けられている。【選択図】図３
2020050347.tif 000002
【特許請求の範囲】
【請求項１】
開口部が形成された容器であって、
前記開口部の周縁から外側に突出するように形成された環状の内フランジ部と、
前記内フランジ部の周囲から外側に突出するように形成された環状の外フランジ部と、
前記内フランジ部と前記外フランジ部とを、その間の周方向に沿って破断可能に連結する複数のフランジ連結部と、を有し、
前記フランジ連結部同士の間にはスリットが周方向に沿って形成されており、
前記フランジ連結部での破断により前記外フランジ部を前記内フランジ部から分離する際のつまみとなる開封タブが、前記外フランジ部に設けられており、
前記開封タブが位置する部分と前記開口部との間に、前記スリットが少なくとも１つ位置し、そのスリットの形成領域の一部に段差が設けられていることを特徴とする容器。
【請求項２】
前記内フランジ部の外周部分と前記外フランジ部の内周部分とで凹部が形成されており、その凹部内には前記スリットと前記フランジ連結部が配置されていることを特徴とする請求項１記載の容器。
【請求項３】
前記フランジ連結部での破断により前記外フランジ部が前記内フランジ部から分離されると、前記内フランジ部と前記外フランジ部において、前記開封タブが位置する部分と前記開口部との間のスリットを介して対向する部分で、互いに係合可能な一対の係合部が形成されることを特徴とする請求項１又は２記載の容器。
【請求項４】
前記内フランジ部と前記外フランジ部と前記フランジ連結部とが一体的に形成された樹脂成形体であることを特徴とする請求項１〜３のいずれか１項に記載の容器。
【請求項５】
請求項１〜４のいずれか１項に記載の容器と、前記開口部を覆うように前記内フランジ部及び前記外フランジ部に接着された蓋と、を備え、
前記フランジ連結部での破断により前記外フランジ部が前記内フランジ部から分離されると、前記蓋が前記外フランジ部と共に前記内フランジ部から分離されて、開封状態となることを特徴とする蓋付容器。
【発明の詳細な説明】
【技術分野】
【０００１】
本発明は容器とそれを用いた蓋付容器に関するものであり、例えば、食品等の内容物を出し入れするための開口部が形成された容器と、その容器に開口部を覆うための蓋が設けられた蓋付容器と、に関するものである。
【背景技術】
【０００２】
いったん開封しても再封（リクローズ）が可能な蓋付容器として、従来より様々なタイプのものが提案されている。例えば、特許文献１に記載の蓋付容器は、樹脂成形体の容器と樹脂フィルムからなる蓋とを備えている。容器は、上面に開口部を有する収納部と、収納部の上縁から外側に突出するフランジ部と、を有しており、フランジ部には、外周端から径方向に突出した突起が設けられている。蓋の下面には環状の枠体が取り付けられており、枠体には蓋の下面に面した上壁から係合爪が設けられている。枠体は容器と一体に射出成形されており、係合爪の下端と突起とがフィルムを介して連結されている。蓋は枠体の上面及びフランジ部の上面に熱接着されており、開封すると蓋がフランジ部から剥がされて枠体と一体に開かれる。また、蓋を閉じると、係合爪が水平方向に弾性変形して容器の突起と上下方向に係合する。これにより、開封後の蓋付容器を再封することができる。
【先行技術文献】
【特許文献】
【０００３】
【特許文献１】特表２０１４−５０２５８４号公報
【発明の概要】
【発明が解決しようとする課題】
【０００４】
しかしながら、特許文献１に記載の蓋付容器によると、係合爪が水平方向に弾性変形して突起と上下方向に係合するため、薄肉に形成されていると弾性力が弱すぎて、突起に係合しにくくなったり、再封時のクリック感が弱くなったりする。これらの問題を解決するために係合爪の肉厚を大きくすると、蓋付容器のコストアップを招くことになる。
【０００５】
本発明はこのような状況に鑑みてなされたものであって、その目的は、低コストでありながら強いクリック感の得られる安定した再封が可能な蓋付容器とそれに用いる容器を提供することにある。
【課題を解決するための手段】
【０００６】
上記目的を達成するために、第１の発明の容器は、開口部が形成された容器であって、
前記開口部の周縁から外側に突出するように形成された環状の内フランジ部と、
前記内フランジ部の周囲から外側に突出するように形成された環状の外フランジ部と、
前記内フランジ部と前記外フランジ部とを、その間の周方向に沿って破断可能に連結する複数のフランジ連結部と、を有し、
前記フランジ連結部同士の間にはスリットが周方向に沿って形成されており、
前記フランジ連結部での破断により前記外フランジ部を前記内フランジ部から分離する際のつまみとなる開封タブが、前記外フランジ部に設けられており、
前記開封タブが位置する部分と前記開口部との間に、前記スリットが少なくとも１つ位置し、そのスリットの形成領域の一部に段差が設けられていることを特徴とする。
【０００７】
第２の発明の容器は、上記第１の発明において、前記内フランジ部の外周部分と前記外フランジ部の内周部分とで凹部が形成されており、その凹部内には前記スリットと前記フランジ連結部が配置されていることを特徴とする。
【０００８】
第３の発明の容器は、上記第１又は第２の発明において、前記フランジ連結部での破断により前記外フランジ部が前記内フランジ部から分離されると、前記内フランジ部と前記外フランジ部において、前記開封タブが位置する部分と前記開口部との間のスリットを介して対向する部分で、互いに係合可能な一対の係合部が形成されることを特徴とする。
【０００９】
第４の発明の容器は、上記第１〜第３のいずれか１つの発明において、前記内フランジ部と前記外フランジ部と前記フランジ連結部とが一体的に形成された樹脂成形体であることを特徴とする。
【００１０】
第５の発明の蓋付容器は、上記第１〜第４のいずれか１つの発明に係る容器と、前記開口部を覆うように前記内フランジ部及び前記外フランジ部に接着された蓋と、を備え、
前記フランジ連結部での破断により前記外フランジ部が前記内フランジ部から分離されると、前記蓋が前記外フランジ部と共に前記内フランジ部から分離されて、開封状態となることを特徴とする。
【発明の効果】
【００１１】
本発明によれば、段差により内フランジ部と外フランジ部との効果的な係合が可能になるため、低コストでありながら強いクリック感の得られる安定した再封が可能な蓋付容器とそれに用いる容器を実現することができる。
【図面の簡単な説明】
【００１２】
【図１】蓋付容器の一実施の形態を示す組立斜視図。
【図２】図１の蓋付容器を示す分解斜視図。
【図３】図１の蓋付容器に用いられる容器の一実施の形態を示す上面図。
【図４】図３の容器に用いられるフランジ連結構造の第１具体例を示す上面図。
【図５】図３の容器に用いられるフランジ連結構造の第２具体例を示す上面図。
【図６】図３のＤ−Ｄ’線断面図。
【図７】図６のＥ部を示す拡大断面図。
【図８】図３のＡ−Ａ’線断面図。
【図９】図３のＢ−Ｂ’線断面図。
【図１０】図３のＣ−Ｃ’線断面図。
【図１１】図１の蓋付容器における開封タブ付近の未開封状態、開封途中状態及び再封状態を示す拡大断面図。
【図１２】図１の蓋付容器におけるヒンジ部付近の未開封状態及び開封状態を示す上面図。
【発明を実施するための形態】
【００１３】
以下、本発明の実施の形態に係る容器、それを用いた蓋付容器等を、図面を参照しつつ説明する。なお、具体例等の相互で同一の部分や相当する部分には同一の符号を付して重複説明を適宜省略する。
【００１４】
図１の組立斜視図と図２の分解斜視図に、一実施の形態に係る蓋付容器１０の概略構成を示す。この蓋付容器１０は、図２に示すように、内容物を出し入れするための開口部１７が形成された容器１５と、その開口部１７を覆うための蓋２０と、を備えている。容器１５は、内容物が収納される収納部１６と、開口部１７の周縁から外側に突出するように形成された環状の内フランジ部３０と、内フランジ部３０の周囲から外側に突出するように形成された環状の外フランジ部４０と、を有している。なお、収納部１６に入れる内容物は特に限定されるものではないが、想定される内容物としては、例えば、惣菜，菓子，ナッツ，ドライフルーツ，味噌等の固形状・半固形状の食品類等が挙げられる。
【００１５】
容器１５は、ポリプロピレン（ＰＰ）等の熱可塑性樹脂からなる樹脂成形体であり、射出成形，真空成形等の成形方法によって薄肉に形成されている。蓋２０は樹脂フィルムからなっており、片面に熱接着層を有している。その熱接着層によって、内フランジ部３０と外フランジ部４０の各上面の略全体にわたって蓋２０が熱接着される。したがって、内フランジ部３０及び外フランジ部４０に蓋２０を熱接着することにより、内容物の入った収納部１６を密封することができる。なお、蓋２０は樹脂フィルムに限らず、紙，金属箔等からなる各層を組み合せた多層基材でもよく、熱接着層の代わりに接着剤を用いてもよい。また、ガスバリア性を必要とする場合には、アルミニウム箔層や蒸着フィルム層を蓋２０の中間層として備えてもよい。
【００１６】
開口部１７，内フランジ部３０及び外フランジ部４０は、曲線形状の角部分とそれに隣接する２つの直線部分とを有する略矩形を成しており（ここでは略正方形を想定している。）、それらは互いに略相似の関係になっている。その１つの角部分には、開封の際のつまみとなる開封タブ４５が縁から外側に突出した形状で外フランジ部４０に形成されている。また、開封タブ４５が形成されている角部分の対角部分には、開封の際の蓋２０の回動中心となる一対のヒンジ部５０が内フランジ部３０に形成されている。開封タブ４５にも蓋２０が熱接着されるので、蓋２０と共に開封タブ４５を持って外フランジ部４０を内フランジ部３０から分離することにより、蓋付容器１０を開封状態にすることができる。
【００１７】
図３に蓋付容器１０が未開封状態にあるときの容器１５を上面図で示し、容器１５に用いられるフランジ連結構造１５Ａを第１具体例として図４に上面図で示し、容器１５に用いられるフランジ連結構造１５Ｂを第２具体例として図５に上面図で示す。図３のＤ−Ｄ’線断面図を図６に示し、図６のＥ部を拡大して図７に示す。また、図３のＡ−Ａ’線断面図を図８に示し、図３のＢ−Ｂ’線断面図を図９に示し、図３のＣ−Ｃ’線断面図を図１０に示す。なお、図３に示す容器１５は、図１及び図２に示す容器１５を詳細に示したものである。
【００１８】
容器１５の収納部１６は、図３に示すように、開口部１７と略相似の略矩形に形成された底壁１８を有している。その底壁１８の中央には、図６に示すように上方（開口部１７側）に突出した略矩形の突出部１９が、収納部１６の強度を向上させるために形成されている。そして、収納部１６の上部には、前述したように、開口部１７の周縁から外側に突出するように環状の内フランジ部３０が形成されており、その内フランジ部３０の周囲から外側に突出するように環状の外フランジ部４０が形成されている。
【００１９】
内フランジ部３０と外フランジ部４０との境界には、フランジ連結構造１５Ａ（図４）又は連結構造１５Ｂ（図５）が形成されている。フランジ連結構造１５Ａは、フランジ連結部Ｍ１，Ｍ２；スリットＳ０，Ｓ１，Ｓ２，Ｓ３，Ｓ４；切り込みＣ１，Ｃ２；ヒンジ部５０等で構成されている。フランジ連結構造１５Ｂは、フランジ連結部Ｌ１，Ｌ２，Ｌ３，Ｌ４；スリットＳ０，Ｓ１，Ｓ２ａ，Ｓ２ｂ，Ｓ２ｃ，Ｓ３，Ｓ４；切り込みＣ１，Ｃ２；ヒンジ部５０等で構成されている。
【００２０】
前述したように、内フランジ部３０と外フランジ部４０は、曲線形状の角部分を有する略矩形を成している。その略矩形における１本の対角線ＤＬ１（図３〜図５）上に位置する２つの角部分のうち、一方の角部分の外フランジ部４０には開封タブ４５が対角線ＤＬ１に関して対称な形状に設けられており、他方の角部分の内フランジ部３０にはヒンジ部５０が対角線ＤＬ１に関して対称に一対設けられている。開封タブ４５はフランジ連結部Ｍ１，Ｍ２又はフランジ連結部Ｌ１〜Ｌ４での破断により外フランジ部４０を内フランジ部３０から分離する際のつまみとなり、ヒンジ部５０はフランジ連結部Ｍ１，Ｍ２又はフランジ連結部Ｌ１〜Ｌ４での破断により外フランジ部４０を内フランジ部３０から分離する際の回動中心となる。なお、開封タブ４５には三角形状のリブ４２が形成されており、リブ４２で開封タブ４５を補強するとともに手で持ち易くしている。
【００２１】
容器１５は、内フランジ部３０及び外フランジ部４０と共に、複数のフランジ連結部Ｍ１，Ｍ２；Ｌ１〜Ｌ４を有しており、内フランジ部３０と外フランジ部４０とフランジ連結部Ｍ１，Ｍ２；Ｌ１〜Ｌ４とが一体的に形成された樹脂成形体として構成されている。内フランジ部３０と外フランジ部４０との境界にフランジ連結部Ｍ１，Ｍ２；Ｌ１〜Ｌ４を設けるのは、容器１５の充填適性等を良くするためである。例えば、フランジ連結部Ｍ１，Ｍ２；Ｌ１〜Ｌ４を設けずに内フランジ部３０と外フランジ部４０とが分離した状態で収納部１６に内容物を充填しようとすると、蓋２０が容器１５から浮いてしまって内容物の充填が困難になる。逆に、内フランジ部３０と外フランジ部４０とを高い強度で連結してしまうと、蓋付容器１０の開封が困難になってしまう。したがって、内フランジ部３０と外フランジ部４０とを、その間の周方向に沿って破断可能に連結する際、その強度のバランスを最適化することが必要になる。
【００２２】
フランジ連結構造１５Ａ（図４）を構成しているフランジ連結部Ｍ１，Ｍ２は、マイクロミシン刃（例えば、ピッチ：０．３５ｍｍカット×０．２３ｍｍノンカット）で形成された直線状のミシン目からなっており、それによって、内フランジ部３０と外フランジ部４０とを、その間の周方向に沿って破断可能に連結している。したがって、フランジ連結部Ｍ１，Ｍ２をマイクロミシン目に沿って手で破断することにより、内フランジ部３０と外フランジ部４０とを容易に切り離すことが可能である。また、図３，図４等に示すように、フランジ連結部Ｍ１は対角線ＤＬ２よりも開封タブ４５側に位置しており、フランジ連結部Ｍ２は対角線ＤＬ２よりもヒンジ部５０側に位置しているため、内フランジ部３０と外フランジ部４０との連結は、開口部１７の周囲全体として安定したものとなっている。
【００２３】
図４に示すように、フランジ連結部Ｍ１，Ｍ２同士の間には複数のスリットＳ０〜Ｓ４が周方向に沿って形成されており、フランジ連結部Ｍ１，Ｍ２とスリットＳ０〜Ｓ４と切り込みＣ１，Ｃ２とが対角線ＤＬ１に関して対称に形成されている。つまり、対角線ＤＬ１上に位置するスリットＳ０，Ｓ４はそれぞれ１つ設けられており、スリットＳ１〜Ｓ３とフランジ連結部Ｍ１，Ｍ２と切り込みＣ１，Ｃ２はそれぞれ２つ（すなわち、開封タブ４５を通る対角線ＤＬ１に関して対称な一対として）設けられている。なお、スリットＳ０〜Ｓ４と切り込みＣ１，Ｃ２は、一般的なトムソン刃で全カットされた状態に形成されている。
【００２４】
内フランジ部３０と外フランジ部４０が成す略矩形の角部分に設けられているスリットＳ０，Ｓ２，Ｓ４のうち、対角線ＤＬ１上に位置するスリットＳ０はコの字に突出した形状、スリットＳ４は曲線形状をそれぞれ有しており、対角線ＤＬ２上に位置するスリットＳ２は曲線形状を有している。また、フランジ連結部Ｍ１とスリットＳ０との間に位置するスリットＳ１と、フランジ連結部Ｍ２とスリットＳ４との間に位置するスリットＳ３は、直線状を成している。
【００２５】
フランジ連結構造１５Ｂ（図５）において、スリットＳ０，Ｓ１，Ｓ２ａ，Ｓ２ｂ，Ｓ２ｃ，Ｓ３，Ｓ４は、容器１５を構成する樹脂シートに対し、スリット形状に応じた刃で切り込みを入れることにより形成され、その際の刃止めによりフランジ連結部Ｌ１，Ｌ２，Ｌ３，Ｌ４が形成される。フランジ連結部Ｌ１〜Ｌ４は、内フランジ部３０と外フランジ部４０とを、その間の周方向に沿って破断可能に連結している。したがって、フランジ連結部Ｌ１〜Ｌ４を刃止めに沿って手で破断することにより、内フランジ部３０と外フランジ部４０とを容易に切り離すことが可能である。
【００２６】
図３，図５等に示すように、フランジ連結部Ｌ１，Ｌ２は対角線ＤＬ２よりも開封タブ４５側に位置しており、フランジ連結部Ｌ３，Ｌ４は対角線ＤＬ２よりもヒンジ部５０側に位置している。このため、内フランジ部３０と外フランジ部４０との連結は、開口部１７の周囲全体として安定したものとなっている。また、フランジ連結部Ｌ１〜Ｌ４の幅（言い換えれば、刃止めの距離）は、０．５〜０．８ｍｍが好ましい。０．５〜０．８ｍｍの幅でフランジ連結部Ｌ１〜Ｌ４を形成することにより、開封の破断のし易さと再封のための係合のし易さとを良好にバランスさせることができる。
【００２７】
フランジ連結構造１５Ａ，１５Ｂは、図３等に示すように、内フランジ部３０の外周部分と外フランジ部４０の内周部分とで形成された凹部３５内に配置されている。内フランジ部３０には、蓋２０の熱接着や内フランジ部３０の補強のために、凹部３５の内周に沿って突出部３１が形成されている。同様に、外フランジ部４０には、蓋２０の熱接着や外フランジ部４０の補強のために、凹部３５の外周に沿って突出部４１が形成されている。突出部３１，４１は上方に凸の形状を有しており（図７〜図１０）、開口部１７と略相似の略矩形を成している（図３）。
【００２８】
開封タブ４５が位置する角部分と開口部１７との間に位置するスリットＳ０は（図３〜図５）、その中央のコの字形状の部分が突出部３１とリブ４２との間に位置しており、スリットＳ０の両端がスリットＳ１とつながっている。スリットＳ０においてスリットＳ１とつながっている部分は凹部３５内に配置されているが、中央のコの字形状の部分は凹部３５ａ内に配置されている（図３，図９，図１０）。凹部３５ａは凹部３５よりも深くなっているため、スリットＳ０の形成領域の一部は段差Δになっている。また、突出部３１とリブ４２との間では、内フランジ部３０と外フランジ部４０とがスリットＳ０を介して対向する部分（後述する係合部３３，４３）で係合可能となっている。このため、スリットＳ０の形成領域の一部に設けられている段差Δにより、内フランジ部３０と外フランジ部４０との引っ掛かりが大きくなって、その係合が安定化されるとともに係合感が強化される。
【００２９】
切り込みＣ１，Ｃ２の２対によって、ヒンジ部５０は対角線ＤＬ１に関して対称に一対構成されている。このヒンジ部５０を中心とする回動により、蓋２０及び外フランジ部４０の開閉が可能となり、スリットＳ４の内フランジ部３０側に形成されている係合部５３（図３）が蓋２０を係止することにより開封状態の保持が可能となる。このとき、ヒンジ部５０は捻られても容易に塑性変形するため、開封状態は安定的に保持されて、高い利便性が得られる。また切り込みＣ１，Ｃ２は、スリットＳ３の一端とスリットＳ４の両端から開口部１７側に屈曲して、対角線ＤＬ１に対して略垂直に延びている。つまり、対向する２つの切り込みＣ１，Ｃ２は互いに略平行に配されることにより、ヒンジ部５０を適度な強さで容易に捻ることを可能としている。
【００３０】
２つのヒンジ部５０の間には、４つのリブ３２（図３）が設けられている。リブ３２は、内フランジ部３０の上面側（蓋２０側）に開口するとともに、その裏面側に突出している。また、リブ３２の平面形状は、長手方向を容器１５の略中心に向かう方向（対角線ＤＬ１に対して平行方向）に配した長円に形成されている。このような形状のリブ３２を設けることにより、凹部３５が上下方向に弾性変形し難くなる。したがって、開封時に凹部３５の弾性によるヒンジ部５０の降下を防止して、ヒンジ部５０を確実に捻ることができる。
【００３１】
図１１に、開封タブ４５付近の未開封状態（密封状態）、開封途中状態及び再封状態を拡大して示す。図１１において、（Ａ）は容器１５に蓋２０が熱接着された状態の蓋付容器１０を示しており、（Ｂ）は開封途中の蓋付容器１０を示しており、（Ｃ）は再封が完了した状態の蓋付容器１０を示している。また図１２に、ヒンジ部５０付近の未開封状態（密封状態）及び開封状態を上面図で示す。図１２において、（Ａ）は容器１５に蓋２０が熱接着された状態の蓋付容器１０を示しており、（Ｂ）は開封が完了した状態の蓋付容器１０を示している。
【００３２】
容器１５を蓋２０で密封する場合、開口部１７（図２，図３）を覆うように蓋２０を容器１５上に配し、リブ４２及び突出部３１，４１に対して蓋２０を押圧しながら加熱する。突出部３１が押圧されると、図１１（Ａ）に示すように、内フランジ部３０の係合部３３と外フランジ部４０の係合部４３とがスリットＳ０を介して対向した状態から、係合部３３が外フランジ部４０側へ微少量変位しながら係合部４３の下方に移動することになる。上記加熱によって蓋２０の熱接着層が溶融し、図１１（Ａ）に示すように、突出部３１，４１及びリブ４２の接着部３４，４４等で、蓋２０が内フランジ部３０及び外フランジ部４０に熱接着される。これにより、内容物の入った収納部１６は密封状態となる（図１，図１１（Ａ））。なお、熱接着層は蓋２０の下面全面に設けられているが、図１１では熱接着部分である接着部３４，４４のみを示している。
【００３３】
蓋付容器１０（図１，図１１（Ａ））を開封する際には、開封タブ４５（図１〜図３，図１１（Ａ））を対角線ＤＬ１に沿って上方に引っ張る。開封タブ４５を上方に引っ張ると、外フランジ部４０と共に蓋２０が持ち上げられるため、内フランジ部３０の突出部３１からの接着部３４の剥離が始まる（図１１（Ｂ））。そして、外フランジ部４０の係合部４３が上方へと移動するとともに、係合部３３が元の状態に復帰するまで微少量変位する。開封タブ４５の近くでは内フランジ部３０と外フランジ部４０とを連結せずに、その間をスリットＳ０，Ｓ１で構成しているため、開封をわずかな力で容易に開始することができる。なお、上記のように開封タブ４５を通る対角線ＤＬ１方向を開封方向とするのが好ましい。対角線ＤＬ１に沿って開封タブ４５を引っ張るようにすれば、より小さな力で安定した開封を行うことが可能である。
【００３４】
開封タブ４５を更に上方に引っ張ると、フランジ連結部Ｍ１；Ｌ１，Ｌ２が破断された後、フランジ連結部Ｍ２；Ｌ３，Ｌ４が破断される。そして、フランジ連結部Ｍ１，Ｍ２；Ｌ１〜Ｌ４での破断により外フランジ部４０が内フランジ部３０から分離されると、前述したように、内フランジ部３０と外フランジ部４０において、スリットＳ０を介して対向する部分で、互いに係合可能な一対の係合部３３，４３が形成される。また、フランジ連結部Ｍ２，Ｌ４のヒンジ部５０側にはスリットＳ３が配置されているため、フランジ連結部Ｍ２，Ｌ４の破断による勢いでヒンジ部５０まで破断してしまうことを防止することができる。
【００３５】
対角線ＤＬ２よりも開封タブ４５側で内フランジ部３０と外フランジ部４０とを連結しているのはフランジ連結部Ｍ１；Ｌ１，Ｌ２のみであり、対角線ＤＬ２よりもヒンジ部５０側で内フランジ部３０の外周部分と外フランジ部４０とを連結しているのはフランジ連結部Ｍ２；Ｌ３，Ｌ４のみである。そして、フランジ連結部Ｍ１，Ｍ２はミシン目からなっており、フランジ連結部Ｌ１〜Ｌ４は刃止めにより形成されている。したがって、内フランジ部３０と外フランジ部４０とにおいて、その連結に要する力を大きくしながら破断に要する力を小さくするように、強度のバランスを容易に最適化することが可能である。
【００３６】
しかも、フランジ連結部Ｍ１，Ｍ２は直線状に構成されており、フランジ連結部Ｌ１〜Ｌ４は微小に構成されているため、フランジ連結部Ｍ１，Ｍ２の破断に要する力は更に小さくて済み、対角線ＤＬ２上の角部分には曲線状のスリットＳ２が配置されているため、大きな力を要せずにスムーズな開封が可能である。したがって、前述したように内フランジ部３０と外フランジ部４０との連結が安定化して容器１５に対する内容物の充填適性が向上するだけでなく、フランジ連結部Ｍ１，Ｍ２の破断に要する力が小さくて済むため、開封時の内フランジ部３０と外フランジ部４０との分離が容易になる。
【００３７】
図１１（Ｂ）の開封途中状態を経て、フランジ連結部Ｍ２の破断が完了すると、図１２（Ｂ）に示すように、蓋２０が外フランジ部４０と共に内フランジ部３０から分離されて、蓋付容器１０は開封状態となる。つまり、外フランジ部４０が蓋２０と一体に開かれて、ヒンジ部５０を中心とする回動の可能な開封状態が保持され、収納部１６内の内容物の取り出しが可能となる。このとき、内フランジ部３０に対して外フランジ部４０が９０°を越えるまで回動すると、内フランジ部３０の係合部５３で蓋２０が係止されるため、蓋２０の係止状態が保持されて、容器１５の開封状態が保持される。
【００３８】
内フランジ部３０に一対設けられているヒンジ部５０は、それぞれがスリットＳ３，Ｓ４の端から内フランジ部３０側に延びるように形成された互いに平行な２本の切り込みＣ１，Ｃ２からなっている。２本の切り込みＣ１，Ｃ２のうち、開口部１７の近くに位置する切り込みＣ２は、開口部１７から遠くに位置する切り込みＣ１よりも短く形成されている（例えば、切り込みＣ１：３ｍｍ，切り込みＣ２：１．５ｍｍ）。開封時のヒンジ部５０の捻れにより、ヒンジ部５０の切り込みＣ１側が大きく下がるので、切り込みＣ１を切り込みＣ２よりも長くすることにより、開封時の蓋２０及び外フランジ部４０の回動を円滑に行うことが可能となる。そして、切り込みＣ１，Ｃ２の長さの差が大きいほど、ヒンジ部５０の軸方向が対角線ＤＬ１に対して垂直方向に近づいてヒンジ部５０の捻れの範囲が長くなるため、蓋２０の閉じる力が強くなる。その結果、内フランジ部３０の係合部５３で蓋２０が強く係止されて、容器１５の開封状態が安定的に保持される。また、ヒンジ部５０の強い捻れにより内フランジ部３０と外フランジ部４０との効果的な係合が可能になるため、安定した再封が可能となる。
【００３９】
ここでは、２本の切り込みＣ１，Ｃ２のサイズ比として２：１を想定しているが、切り込みＣ２を切り込みＣ１よりも更に短く形成してもよく、切り込みＣ２を省略することにより、ヒンジ機能を低減させながらヒンジ部５０の強い捻れを得るようにしてもよい。またここでは、スリットＳ３，Ｓ４と切り込みＣ１，Ｃ２とを曲線的につなげることによってヒンジ部５０の強度を向上させているが、その曲率を調整することによって、ヒンジ部５０の強度と蓋２０の閉じる力とを効果的にバランスさせることも可能である。
【００４０】
開封タブ４５をつまんで外フランジ部４０及び蓋２０を再度閉じると、係合部４３が上下方向に弾性変形して係合部３３を乗り越え、図１１（Ｃ）に示すように、係合部３３に対して上下方向に係合する。これにより、蓋２０及び外フランジ部４０が内フランジ部３０に保持されるため、蓋付容器１０の再封が達成される。容器１５が薄肉に形成されていても、再封時に内フランジ部３０と外フランジ部４０とを係合させることができるため、低コストでの再封を実現することができる。また、係合部４３は係合部３３に対して比較的緩く係止されているが、再封に強い密封を必要としない内容物（軽量物，固形物，半固形物等）であれば、このような緩い係止でも問題のない再封が可能である。
【００４１】
蓋付容器１０の再封では、図３及び図１０に示すように、スリットＳ０の形成領域の一部に段差Δが設けられているため、係合部３３と係合部４３との引っ掛かりが大きくなって、その係合感が強化されるとともに、内フランジ部３０と外フランジ部４０との効果的な係合が可能になる。したがって、安定した再封が容易に可能になるとともに、係合部３３と係合部４３との係合によるクリック感（係止時の振動や係止音の発生等）も容易に得ることが可能になる。また、段差Δを大きくするほど係合部３３と係合部４３との係合が強くなるため、段差Δのサイズで再封の安定性やクリック感を調整することができる。
【００４２】
フランジ連結構造１５Ａ（図４）を用いた場合、フランジ連結部Ｍ１，Ｍ２での破断により、ミシン目に対応した破断形状が形成される。再封時には、内フランジ部３０と外フランジ部４０との横方向の相対位置に微少なズレが生じるため、ミシン目の破断部分の凹凸が上下方向に重なって係合することになる。したがって、フランジ連結部Ｍ１，Ｍ２として形成されているミシン目の破断部分により、内フランジ部３０と外フランジ部４０との効果的な係合が可能になるため、より確実で安定した再封が可能となる。
【００４３】
再封後の開封を行う際には、開封時と同様、開封タブ４５をつまんで引っ張ればよい。係合部３３，４３やフランジ連結部Ｍ１，Ｍ２；Ｌ１〜Ｌ４での破断部分は、開封タブ４５を通る対角線ＤＬ１に関して対称に位置することになるため、対角線ＤＬ１に沿って開封タブ４５を引っ張るようにすれば、再封後の開封をより安定的に行うことが可能である。
【００４４】
前述したように、開封タブ４５が位置する部分と開口部１７との間にスリットＳ０を形成し、そのスリットＳ０の形成領域の一部に段差Δを設けると、内フランジ部３０と外フランジ部４０との効果的な係合とその係合感の強化が可能になる。したがって、容器１５の薄肉化による低コスト化が可能であって、強いクリック感の得られる安定した再封が可能な蓋付容器１０を実現することができる。
【符号の説明】
【００４５】
１０    蓋付容器
１５    容器
１５Ａ，１５Ｂ    フランジ連結構造
１６    収納部
１７    開口部
１８    底壁
１９    突出部
２０    蓋
３０    内フランジ部
３１    突出部
３２    リブ
３３    係合部
３４    接着部
３５，３５ａ    凹部
４０    外フランジ部
４１    突出部
４２    リブ
４３    係合部
４４    接着部
４５    開封タブ
５０    ヒンジ部
５３    係合部
Δ    段差
Ｓ０，Ｓ１，Ｓ２，Ｓ２ａ，Ｓ２ｂ，Ｓ２ｃ，Ｓ３，Ｓ４    スリット
Ｃ１，Ｃ２    切り込み
Ｌ１，Ｌ２，Ｌ３，Ｌ４    フランジ連結部（刃止め）
Ｍ１，Ｍ２    フランジ連結部（ミシン目）
ＤＬ１，ＤＬ２    対角線
【図１】
2020050347.tif 000003
【図２】
2020050347.tif 000004
【図３】
2020050347.tif 000005
【図４】
2020050347.tif 000006
【図５】
2020050347.tif 000007
【図６】
2020050347.tif 000008
【図７】
2020050347.tif 000009
【図８】
2020050347.tif 000010
【図９】
2020050347.tif 000011
【図１０】
2020050347.tif 000012
【図１１】
2020050347.tif 000013
【図１２】
2020050347.tif 000014